(57)【要約】【課題】  携帯型情報機器でテレビ放送等を視聴する場合の、省電力化の要請を満たしつつ、テレビ放送等の内容を把握することができる携帯型情報機器を提供する。【解決手段】  携帯型情報機器は、表示画素数が異なる２つの画面を有する携帯端末であって、動画コンテンツを取得する取得手段と、取得した動画コンテンツを、表示画素数が多い方の画面である第１画面に表示する第１表示手段と、前記動画コンテンツのフレームの１部分を、第２画面に表示する第２表示手段を備え、第２画面の表示がされている間は、第１画面の表示がされないように第１表示手段を制御する制御手段を備える。【選択図】  図１
2005080020.tif 000002
【特許請求の範囲】
【請求項１】
表示画素数が異なる２つの画面を有する携帯端末であって、
動画コンテンツを取得する取得手段と、
取得した動画コンテンツを、表示画素数が多い方の画面である第１画面に表示する第１表示手段と、
前記動画コンテンツのフレームの１部分を、第２画面に表示する第２表示手段を備え、
第２画面の表示がされている間は、第１画面の表示がされないように第１表示手段を制御する制御手段を備える
ことを特徴とする携帯端末。
【請求項２】
前記第２表示手段は、前記動画コンテンツのフレームに所定の色が一定の割合以上含まれている部分を表示する
ことを特徴とする請求項１記載の携帯端末。
【請求項３】
前記第２表示手段は、前記動画コンテンツのフレーム中で所定の文字が表示されている部分を表示する
ことを特徴とする請求項１記載の携帯端末。
【請求項４】
前記第２表示手段は、前記文字のみを表示する
ことを特徴とする請求項３記載の携帯端末。
【請求項５】
前記携帯端末は更に、前記動画コンテンツのフレームの１部分の位置を示す情報を記憶する記憶手段を備え、
前記第２表示手段は、前記記憶手段に記憶されている情報に基づき定められる動画コンテンツのフレームの１部分を表示する
ことを特徴とする請求項１記載の携帯端末。
【請求項６】
前記取得手段は、デジタル放送を受信することにより前記動画コンテンツを取得する
ことを特徴とする請求項１記載の携帯端末。
【請求項７】
前記携帯端末は、更に、前記第２画面に特定文字が表示されたことを検出する検出手段と、
前記検出手段によって前記特定文字が検出されたときに、ユーザに通知する通知手段を備える
ことを特徴とする請求項１記載の携帯端末。
【請求項８】
前記検出手段は、更に、前記第２画面に表示される画像が、直前に表示した画像と異なる部分を有することを検出し、前記検出手段によって前記異なる部分が検出されたときに、前記通知手段によってユーザに通知する
ことを特徴とする請求項７記載の携帯端末。
【請求項９】
前記携帯端末は、ユーザ操作に応じて、前記第１画面が隠蔽される携帯端末であって、
前記制御手段は、ユーザ操作に応じて前記第１画面が隠蔽されたときに、第１画面の表示を停止する
ことを特徴とする請求項１記載の携帯端末。
【請求項１０】
前記制御手段は更に、ユーザ操作に応じて、前記第１画面が現れたときに、第１画面の表示を開始する
ことを特徴とする請求項９記載の携帯端末。
【請求項１１】
画面を有する携帯端末であって、
動画コンテンツを取得する手段と、
取得した動画コンテンツのフレームの１部分を、前記画面に表示する手段とを備える
ことを特徴とする携帯端末。
【請求項１２】
前記携帯端末は、携帯電話機であること
ことを特徴とする請求項１又は１１記載の携帯端末。
【発明の詳細な説明】
【技術分野】
【０００１】
本発明は、デジタルテレビ放送の受信、再生機能を供える携帯型情報機器に関し、特に、動画コンテンツ表示時の省電力化技術に関する。
【背景技術】
【０００２】
現在、テレビ放送のデジタル化が進み、近い将来、地上波デジタル放送が開始され、ＰＤＡ（Personal Digital Assistants）や携帯電話等の携帯型情報機器向けの放送が予定されている。
また、近年、テレビ映像等の動画コンテンツを表示する携帯型情報機器は、高機能化が著しい。特に表示機能は高解像度化、多色化、高速化が進み、動画コンテンツ再生のための機能が整ってきており、携帯型情報機器でテレビ放送を視聴しても、家庭内のテレビで視聴するのに近い明るさ、きめ細かさ、動きの滑らかさが期待できる。
【０００３】
さらに、２つの画面を使用し、テレビ放送と供に送信される付加情報をテレビ番組用とは別の画面で表示することで、その付加情報を利用する際の利便性を向上させ、テレビ放送番組に関連した付加情報による番組内容の把握を容易にする技術が開発されている（特許文献１参照）。
【特許文献１】特開２００２−０１６８９２号公報
【発明の開示】
【発明が解決しようとする課題】
【０００４】
ところで、携帯型情報機器は、通常屋外で使用する場合が多く、限られた電力で動作する必要がある。また、たとえ付加情報により番組内容の把握が容易になっても、消費電力が多くてテレビ番組を長時間視聴できないのでは、ユーザは満足しない。従って、携帯型情報端末においてテレビ放送等を視聴する場合は、省電力化の要請が強い。
そこで、本発明は、省電力化の要請を満たしつつ、ユーザにテレビ放送等の内容を把握させることができる携帯型情報機器の提供を目的とする。
【課題を解決するための手段】
【０００５】
上記課題を解決する為に、本発明の携帯型情報機器は、表示画素数が異なる２つの画面を有する携帯端末であって、動画コンテンツを取得する取得手段と、取得した動画コンテンツを、表示画素数が多い方の画面である第１画面に表示する第１表示手段と、前記動画コンテンツのフレームの１部分を、第２画面に表示する第２表示手段を備え、第２画面の表示がされている間は、第１画面の表示がされないように第１表示手段を制御する制御手段を備えることを特徴とする。
【発明の効果】
【０００６】
本発明に係る携帯型情報機器は、上述の構成を備えることにより、全体は表示されないものの、その一部が表示されるので、そこを視聴することで、番組の内容を把握することができる。従って、テレビ放送等の画面の見たい部分等が小さい方の画面に表示されるので、大きい方の画面でテレビ番組を視聴する場合に比べ、少ない消費電力でテレビ番組の内容を知ることができ、テレビ放送を長時間に亘り楽しむことができるようになる。
【０００７】
また、前記第２表示手段は、前記動画コンテンツのフレームに所定の色が一定の割合以上含まれている部分を表示することを特徴とすることとしてもよい。
これにより、特定の色が集中して表示されている部分が自動的に定められ、小さい方の画面に表示される。この特定の色とは、通常、テレビ放送等で目立たせたい文字等の色として使用するものであるので、そのような色が集中している部分である視聴者が見たいであろう部分を容易に表示することができるようになる。
【０００８】
また、前記第２表示手段は、前記動画コンテンツのフレーム中で所定の文字が表示されている部分を表示することとしてもよい。
これにより、特定の文字が表示されている部分が自動的に定められ、小さい方の画面に表示される。特定の文字が表示されている部分は、通常、テレビ放送等で視聴者に対して情報を表示している部分であるので、そのような文字が表示されている部分である視聴者が見たいであろう部分を容易に表示することができるようになる。
【０００９】
また、前記第２表示手段は、前記文字のみを表示することとしてもよい。
これにより、小さい方の画面に表示される文字が明確になるので、見たい内容を容易に認識することができるようになる。
また、前記携帯端末は更に、前記動画コンテンツのフレームの１部分の位置を示す情報を記憶する記憶手段を備え、前記第２表示手段は、前記記憶手段に記憶されている情報に基づき定められる動画コンテンツのフレームの１部分を表示することとしてもよい。
【００１０】
これにより、小さい方の画面に表示するフレーム内の位置が固定されるので、見たい部分を確実に見ることができるようになる。
また、前記取得手段は、デジタル放送を受信することにより前記動画コンテンツを取得することとしてもよい。
これにより、デジタル放送の番組を受信することができるので、デジタル放送の番組を長時間視聴することができるようになる。
【００１１】
また、前記携帯端末は、更に、前記第２画面に特定文字が表示されたことを検出する検出手段と、前記検出手段によって前記特定文字が検出されたときに、ユーザに通知する通知手段を備えることとしてもよい。
また、前記検出手段は、更に、前記第２画面に表示される画像が、直前に表示した画像と異なる部分を有することを検出し、前記検出手段によって前記異なる部分が検出されたときに、前記通知手段によってユーザに通知することとしてもよい。
【００１２】
これにより、特定の文字が小さい方の画面に表れるか、小さい方の画面の表示内容が変化した場合に視聴者に通知されるので、知りたい情報を逃すことがなくなり、また、見たい場面を見ることが容易にできるようになる。
また、前記携帯端末は、ユーザ操作に応じて、前記第１画面が隠蔽される携帯端末であって、前記制御手段は、ユーザ操作に応じて前記第１画面が隠蔽されたときに、第１画面の表示を停止することとしてもよい。
【００１３】
また、前記制御手段は更に、ユーザ操作に応じて、前記第１画面が現れたときに、第１画面の表示を開始することとしてもよい。
これにより、大きい方の画面が隠れると自動的にその表示が停止され、画面が現れると自動的に表示が始まるので、ユーザは、意識的に操作しなくても、テレビ視聴時の消費電力を抑えることができるようになる。
【００１４】
また、画面を有する携帯端末であって、動画コンテンツを取得する手段と、取得した動画コンテンツのフレームの１部分を、前記画面に表示する手段とを備えることとしてもよい。
これにより、テレビ放送の画面の見たい部分を大きくして見ることができるので、小さい画面でもテレビ放送等を楽しむことができるようになる。
【発明を実施するための最良の形態】
【００１５】
＜概要＞
本発明に係る携帯型情報機器は、２つの画面を備える２つ折タイプの携帯端末であり、デジタル放送を受信し、表示する。
本携帯端末の概略について、図１及び図２を用いて説明する。
図１は、携帯端末の概略図である。
【００１６】
図１（ａ）は、携帯端末を開けた図であり、図１（ｂ）は、携帯端末を閉じた図である。
携帯端末１０００は、２つの画面を備えており、１つは携帯端末を開けたときに現れる、通常、テレビ放送を視聴する画面（以下、「正面画面１１００」という。）である。もう１つは、いわゆる蓋の表側にある画面（以下、「背面画面１２００」という。）である。
【００１７】
ここで、正面画面１１００の画素数は３２０×２４０ドット、背面画面１２００の画素数は１６０×１２０ドットとする。また、画素ピッチは同じとする。
正面画面１１００にはテレビ放送が表示され、背面画面１２００には正面画面に表示されている画面の一部分が表示される。例でいえば、正面画面１１００には、スポーツ放送が表示されており、背面画面１２００には、そのスポーツ放送の右下の点数部分が表示されている。
【００１８】
ここでは、説明の便宜上、正面画面１１００と背面画面１２００が同時に表示されているように見えるかもしれないが、実際の仕様では、蓋を閉じて正面画面１１００が隠れているときは、正面画面１１００の表示はなされておらず、背面画面１２００のみが表示されている。また、蓋を開けて正面画面１１００が現れているときは、正面画面１１００のみが表示されている。
【００１９】
例でいえば、背面画面１２００に表示されている点数を見ながらゲームの経過のみを追っていて、点数が入った時に、蓋を開けて正面画面でリプレイ等を視聴することができる。
本発明は、視聴者がテレビ放送のような動画コンテンツを視聴する場合、放送中常に画面を注視し続ける必要のあるコンテンツばかりではないことに着目して、考えられたものである。
【００２０】
例えば、放送中のすべての時間に画面全体を注視する必要がないと視聴者が判断した場合や、他の作業を行いながら放送の経過のみを追いたい場合、また、放送の特定の場面が放送されているときのみを視聴したい場合等、様々な視聴方法がある。
このような様々な視聴方法の中で、テレビ放送の画面の１部分を見ているだけで、視聴者の要求が満たされる場合、例えば、ゲームの点数の推移のみを知りたいという要求には、その画面の１部分のみを表示していればよい。
【００２１】
このような場合に、その１部分の表示は、その内容がわかる程度の小さな画面に表示すれば、消費電力を抑えながら、テレビ放送の内容を追うという視聴者の要求は満たされる。
すなわち、正面画面よりも小さな背面画面１２００に視聴中のゲーム画面の点数部分を表示することで、正面画面１１００でゲームを視聴する場合に比べれば消費電力は抑えることができ、かつ、視聴者のゲームの経過を追うという要求を満たすことになる。
【００２２】
また、背面画面１２００が正面画面１１００よりも小さい場合であっても、背面画面に表示すると、正面画面に表示している場合に比べて拡大して表示することができる場合には、より見やすくなる。
更に、バッテリの残りが少なくなってきた場合に、ゲーム終了まで見たいという要求を満たす為に、背面画面１２００に表示することで放送の視聴できる時間を長くすることもできる。
【００２３】
次に、図２について説明する。
図２は、携帯端末の２つの画面の遷移を示した図である。
下の画面は、上の画面が表示された時より、少し後の画面である。
正面画面１１００は、その内容が変化しているが、背面画面１２００は、変化していない。すなわち、背面画面１２００は、正面画面１１００の表示内容にかかわらず、正面画面１１００の固定位置の領域を表示している。但し、その領域の内容が変わった場合は、背面画面１２００の表示内容も同様に変化する。例でいえば、テレビ放映されているスポーツの試合で、どちらかのチームが点数を入れた場合は、背面画面１２００に表示されている点数も点を入れたチームの点数が変化して表示される。
【００２４】
また、本携帯端末１０００は、注意喚起機能を有する。
注意喚起機能とは、背面画面１２００に所定の文字が表示された場合に、音を鳴らす等して、ユーザの注意を喚起する機能である。
例えば、スポーツ放送を視聴しているユーザにとって、点が入ることが視聴時の関心事だと考えられるため、“４”の文字が現れたときにユーザに知らせる等に使用する。
【００２５】
＜構成＞
以下、本発明の実施形態に係る携帯端末について図３〜図１０を用いて説明する。
図３は、携帯端末１０００の構成を示す機能ブロック図である。
携帯端末１０００は、入力装置１３００、正面画面（表示装置）１１００、背面画面（表示装置）１２００、音源装置１４００、コンテンツ受信部２０００、画面データ生成部２１００、画面領域特定部２２００、特定領域位置情報記憶部２３００、画面データ抽出部２４００、ユーザインターフェース部２５００、正面画面表示部２６００、背面画面表示部２７００、注意喚起データ記憶部２８００及び注意喚起データ検出部２９００から構成される。
【００２６】
尚、携帯端末１０００には、制御部（図示していない）があり、本発明に係る機能以外の機能を制御している。
入力装置１３００は、携帯端末の筐体表面にあるボタンや、ポインティングデバイス等と、ボタンの押下等を検出してユーザインターフェース部２５００に伝える機構とを有する。ボタンは、例えば上下左右にカーソルを移動させる為のキーなどであり、ポインティングデバイスは、マウスやスタイラスペン等であり、画面上の位置を入力するものである。
【００２７】
ユーザインターフェース部２５００は、入力装置１３００からボタンの押下等を検出した旨の情報を受け取り、解釈し、カーソル位置やスクリーン座標等を画面領域特定部２２００に渡す機能を有する。
また、ユーザインターフェース部２５００は、画面領域特定部２２００の依頼を受けて、入力装置１３００にスクリーン座標等の取得を依頼し、受け取ったスクリーン座標等を画面領域特定部２２００に渡す機能も有する。
【００２８】
正面画面１１００は、テレビ画像の全体を表示する液晶等の表示装置をいい、背面画面１２００は、テレビ画像の一部分を表示する液晶等の表示装置をいう。それぞれ、正面画面表示部２６００と背面画面表示部２７００から表示データを送られ、表示装置に表示する。
次に、音源装置１４００は、音を発生させる、または携帯端末自体を振動させる等の機能を有する。注意喚起データ検出部２９００の依頼により、音を発生させる等する。
【００２９】
コンテンツ受信部２０００は、放送局から送信されるデジタル放送を受信し、通信制御データ等を取り除き、画面表示に必要な画像データ等を取り出し、画面データ生成部２１００に渡す機能を有する。
画面データ生成部２１００は、コンテンツ受信部２０００から受け取ったデータをもとに、１画面のデータを生成する機能を有する。ここで言う１画面のデータとは、１フレームのデータをいう。例えば、動画は毎秒３０フレームの画面が表示されることで、動いているように見える。
【００３０】
ここで、１フレームの画面データは、４８０×３６０ドットで構成されるものとする。従って、正面画面１１００は３２０×２４０ドットであることから、正面画面には、１フレームの画面データを縮小して表示することになる。
また、画面データ生成部２１００は、生成した１フレームの画面データを画面領域特定部２２００、正面画面表示部２６００及び画面データ抽出部２４００に渡す。
【００３１】
画面領域特定部２２００は、１フレームの画面データのうち、背面画面１２００に表示する領域を特定する機能を有する。画面領域特定部２２００は、その特定した領域（以下「特定領域」という。）の位置情報を、特定領域位置情報記憶部２３００に渡す。特定領域の画像データは背面画面１２００に表示することになるデータである。
尚、この領域の位置情報は、フレームの画面データの座標系からなる。画面領域特定部２２００の機能の詳細は、後に、図４を用いて説明する。
【００３２】
特定領域位置情報記憶部２３００は、画面領域特定部２２００から特定した領域の位置情報を受け取り、記憶する機能を有する。また、位置情報の書き込み及び読み出しの機能も有する。記憶する特定領域の位置情報については、後に、図６を用いて説明する。
次に、画面データ抽出部２４００は、正面画面１１００に表示する画像データから、特定領域の画像データを抽出する機能を有する。画面データ生成部２１００から受け取った１フレームのデータと、特定領域位置情報記憶部２３００から受け取った特定位置の情報とから、背面画面１２００に表示する画像データを抽出する。抽出した画像データは、背面画面表示部２７００と注意喚起データ検出部に渡される。
【００３３】
正面画面表示部２６００は、画面データ生成部２１００から受け取った１フレームの画面データから、正面画面１１００に合わせた画像データを作成し、正面画面１１００に渡す機能を有する。正面画面１１００に合わせた画像データを作成するとは、例えば、画面データ生成部２１００から受け取った１フレームの画面データの画素数と正面画面１１００の画素数が異なる場合には、画素データを間引く等の処理を行う。
【００３４】
例でいえば、４８０×３６０ドットのフレームのデータを３２０×２４０ドットの正面画面１１００に合わせて、縮小処理を行う。
また、背面画面表示部２７００は、画面データ抽出部２４００から受け取った抽出した特定領域のデータから、背面画面１２００に合わせた画像データを作成し、背面画面１２００に渡す機能を有する。背面画面１２００に合わせた画像データを作成するとは、例えば、背面画面の画素数が特定領域のデータの画素数より多い場合には、拡大する処理を行う。
【００３５】
例でいえば、特定領域のデータが１２０×９０ドットであり、背面画面が１6０×１２０ドットであるから、拡大する処理を行う。尚、この特定領域が正面画面１１００に表示されると８０×６０ドットであることから、背面画面１２００には４倍で表示されることになる。
注意喚起データ検出部２９００は、画面データ抽出部２４００から受け取った抽出したデータである特定領域の画像データの中から、ある文字を検出する機能を有する。また、特定領域の画像データの変化を検出する機能も有する。
【００３６】
すなわち、背面画面１２００にある文字が現れることを検出し、または、背面画面が変化するかを検出することになる。検出した場合は、音源装置１４００に音を発生させる等の指示を出す。どちらの検出を行うかは、ユーザ操作により決定される。ある文字とは、注意喚起データ記憶部２８００に記憶されている文字である。
注意喚起データ記憶部２８００は、文字を記憶する機能を有する。また、検知する文字の書き込み及び読み出しの機能も有する。記憶しているデータについては、後に、図７を用いて説明する。
【００３７】
図４は、画面領域特定部２２００の構成を示す機能ブロック図である。
画面領域特定部２２００は、判定用データ記憶部２２１０、画素分布判定部２２３０及び特定領域位置情報作成部２２５０から構成される。
画面領域特定部２２００は、背面画面１２００に表示するために、正面画面１１００に表示する１フレームの１部分の領域を特定する機能を有する。その特定方法は、主だったものとして２つある。１つは、一定の色等が表示されている部分を特定領域とする方法である。もう１つは、正面画面１１００の画面を直接指示して部分を定め、特定領域とする方法である。
【００３８】
まず１つ目の方法を実現するための、機能ブロックについて説明する。
判定用データ記憶部２２１０は、色と文字のデータを記憶し、読み出し、書き込み等する機能を有する。この色と文字は、正面画面１１００にそれらの色等が表示されている部分を特定領域とするために用いられる。この色と文字については、後に、図５を用いて説明する。
【００３９】
画素分布判定部２２３０は、画面生成部２１００から受け取った１フレームの画像データの中に、判定用データ記憶部２２１０に記憶してある色または文字があるか否かを判定し、その場所を特定する機能を有する。その特定した場所、具体的には、矩形を表すドット座標を特定領域位置情報作成部２２５０に渡す。
特定領域位置情報作成部２２５０は、画素分布判定部２２３０から渡された矩形を表すドット座標から、背面画面１２００の縦横比に合わせて特定領域の位置情報を決定し、特定領域位置情報記憶部２３００に渡す機能を有する。仮に、画素分布判定部２２３０から渡されたデータが正方形を表す座標データであった場合には、その正方形の画像が中心に表示されるような領域を特定領域として位置情報を作成する。
【００４０】
例でいえば、画素分布判定部２２３０から渡された矩形の大きさが８６×４４ドットである場合、上下左右に一定の開きを取り、１２０×９０ドットを特定領域とする。
次に、２つ目の方法である、正面画面１１００の画面を直接指示して部分を定め、特定領域とする方法を実現するための機能ブロックについて説明する。
特定領域位置情報作成部２２５０は、ユーザインターフェース部２５００から正面画面１１００の矩形を表すスクリーン座標を受け取り、そのスクリーン座標をフレームの画面データの座標に変換した後に、背面画面１２００の縦横比に合わせて特定領域の位置情報を決定し、その位置情報を、特定領域位置情報記憶部２３００に渡す機能を有する。
【００４１】
＜データ＞
以下、携帯端末１０００が用いる主なデータについて、図５を使用して説明する。
図５は、判定用データの内容例を示す。図５（ａ）は、判定用の色のデータであり、図５（ｂ）は、判定用の文字のデータである。図６は、特定領域位置データの内容例を示す。図７は、注意喚起データの内容例を示す。
【００４２】
図５について、説明する。
判定用データ記憶部２２１０に記憶しているデータは、色判定用データ３０００と文字判定用データ３１００がある。
色判定用データ３０００は、色コード３０１０と、色名３０２０より構成される。また、色コード３０１０は、１６ビットのデータであり、光の３原色を表すデータで構成されている。赤を表す５ビットのデータ３０３０、緑を表す６ビットのデータ３０４０及び青を表す５ビットのデータ３０５０である。色名３０２０は、ユーザが認識できる色の名前を示している。
【００４３】
これらの色は、スポーツ番組やニュース番組等で文字テロップを表示する場合、その文字の色として頻繁に使用される色である。
次に、文字判定用データ３１００は、文字３１１０とアドレス３１２０で構成されている。文字３１１０は、文字コードであり、アドレスは、その文字のビットデータの場所を示している。
【００４４】
例では、文字３１１０「前」が指定されており、スポーツ放送のゲーム結果を表す前半の「前」を指定することで、ゲーム結果が表示されている領域を見つけ出す場合に指定する。
図６について、説明する。
特定領域位置情報記憶部２３００に記憶しているデータである特定領域位置情報３２００は、矩形を表す左上と右下のＸ座標３２１０とＹ座標３２２０で構成される。この座標は、画面データ生成部２１００が生成する１フレームの画面データの座標が基準となっている。
【００４５】
図７について、説明する。
注意喚起データ記憶部２８００に記憶しているデータである注意喚起データ３３００は、文字３３１０、色名３３２０及びアドレス３３３０から構成される。文字３３１０は文字コードであり、色名３３２０は判定用データの色名３０２０の内の１つを指定し、アドレス３３３０は、文字３３１０のビットデータの場所を示している。
【００４６】
例では、文字３３１０「ニ」で、色名３３２０「白色」が指定されている。例えば、ニュース速報が通常表示されるような正面画面の領域を背面画面に表示させておいて、「ニ」が表示されたら通知するように指定しておくことで、ニュース速報を必ず、見ることが出来るようになる。
＜動作＞
以下、上述した携帯端末１０００の動作について図８〜図１２を用いて説明する。
【００４７】
図８は、携帯端末１０００がテレビ放送を表示する場合の処理を示すフローチャートである。
まず、携帯端末１０００の蓋を開けて、正面画面１１００が見えるようにする（ステップＳ１０）。
次に、ユーザは、テレビ放送を受信し、表示する指示を行う（ステップＳ１１）。例えば、「テレビ表示」ボタンを押下する。このボタン押下を検知した携帯端末１０００の制御部（図示していない）は、コンテンツ受信部２０００及び他の必要なプログラムを起動し、テレビ画像を正面画面１１００に表示する（ステップＳ１２）。
【００４８】
具体的には、テレビ放送を受信したコンテンツ受信部２０００は、受信したデータのうち必要な画像データを取り出し、画面データ生成部２１００に渡す。画像データを受け取った画面データ生成部２１００は、１フレーム分の画面データを生成し、正面画面表示部２６００に渡す。この段階の画面データは、送信されてきたままの大きさ（４８０×３６０ドット）のデータである。
【００４９】
画面データを受け取った正面画面表示部２６００は、正面画面１１００の画素数に合わせたデータを作成し正面画面１１００に渡し、受け取った正面画面１１００によって画像データが画面に表示される。本実施形態の場合、正面画面１１００の画素数は、３２０×２４０ドットである。
このステップ１２が繰り返されることで、動画のテレビ画面が表示されることになる。
【００５０】
テレビ表示中に、ユーザからテレビ受信終了の指示、例えば、「終了」ボタンが押下されると、このボタン押下を検知した携帯端末１０００の制御部（図示していない）は、コンテンツ受信部２０００及び他のプログラムを終了させ、テレビ放送受信処理を終了させる（ステップＳ１３）。
テレビ表示中に、ユーザが背面画面に表示する指示を出す（ステップＳ１４）と、背面画面１２００に表示する領域を決定する処理に移る。
【００５１】
詳細にいえば、例えば、入力装置１３００の「背面画面表示」ボタンを押下すると、その押下した旨を受け取ったユーザインターフェース部２５００は、画面領域特定部２２００にその旨を通知する。
背面画面を表示する旨の指示があったことを通知された画面領域特定部２２００は、正面画面１１００のうち背面画面１２００に表示する特定領域を決定する処理を行う（ステップＳ１５）。この処理の詳細は、後に、図９を用いて説明する。
【００５２】
次に、蓋が閉じられると（ステップＳ１６）、その旨を検知した携帯端末１０００の制御部（図示していない）は、背面画面表示処理を行う（ステップＳ１７）。この処理の詳細は、後に、図１０を用いて説明する。
背面画面１２００が表示されると、正面画面の表示が停止される（ステップＳ１８）。
背面画面表示中に、蓋を開けると（ステップＳ１９）、背面画面１２００の表示が停止され（ステップＳ２０）、再び、正面画面の表示が開始される（ステップＳ１２）。
【００５３】
図９は、背面画像特定処理を示すフローチャートである。
この処理は、正面画面１１００にテレビ画像が表示されているときに、入力装置１３００の「背面画面表示」ボタンを押下するなどして、指示があったときに実行される処理である。
まず、背面画面の領域を特定する方法を選択する。方法は、幾つかあるが、ここでは３つについて説明する。１つは、所定の色が一定以上の密度で分布している部分、または、特定文字が表示されている部分を特定領域とする方法、２つめは、ユーザが領域を直接指定する方法、３つめは、正面画面１１００を幾つかの画面に分割し、そのうちの１つの分割画面をユーザが指定して特定する方法である。
【００５４】
ユーザは、メニュー等から、領域の特定方法を選択する（ステップS３０）。入力装置１３００から、メニューが選択された旨の通知を受け取ったユーザインターフェース部２５００は、選択された領域の特定方法を画面領域特定部２２００に通知する。
選択された領域の特定方法を受け取った画面領域特定部２２００は、それぞれの特定方法で領域を決定する。
【００５５】
まず、１つめの方法である、所定の色が一定以上の密度で分布している部分を特定領域とする方法について説明する。
画素分布判定部２２３０は、判定用データ記憶部２２１０から、色判定用データ３０００を取得する（ステップS３１）。その後、画面データ生成部２１００から受け取った１フレームの画面データのなかに、色コード３０１０と同じ色または近い色の画素が存在するかを判定する。色コード３０１０と同じ色または近い色の画素があった場合は、その画素位置を作業領域に記憶しておき、その画素位置の情報から、一定の分布密度を有する領域を取り出す（ステップS３２）。
【００５６】
図１１は、特定色が一定の分布密度を有する領域の例である。
特定領域４０００は、８６×４４ビットの大きさである。図の１目盛は、２ドットとする。
一定の分布密度を有する領域を確定した画素分布判定部２２３０は、その領域の位置情報を特定領域位置情報作成部２２５０に渡す。
【００５７】
次に、特定文字が表示されている部分を特定領域とする方法について説明する。
画素分布判定部２２３０は、判定用データ記憶部２２１０から、色判定用データ３０００と、文字判定用データ３１００を取得する（ステップS３１）。その後、画面データ生成部２１００から受け取った１フレームの画面データのなかに、色コード３０１０と同じ色または近い色の画素が存在するかを判定する。色コード３０１０と同じ色または近い色の画素があった場合は、その画素位置を作業領域に記憶しておき、その中に指定された文字のアドレス３１２０で示されるビットマップデータとほぼ同じ配列の画素があるか否かを判断する。
【００５８】
従って、色判定用データの色が、一定密度以上存在する領域であって、特定文字が表示されている領域が、特定領域となる。
ここで、特定文字とは、ユーザがメニュー等により、判定用データ記憶部に記憶している文字から選択した１文字である。
画素分布判定部２２３０は、指定された文字のビットマップとほぼ同じ配列の画素があった場合に、その領域を確定し（ステップS３２）、その領域の位置情報を特定領域位置情報作成部２２５０に渡す。
【００５９】
２つめのユーザが領域を直接指定する方法について説明する。
ユーザインターフェース部２５００から、領域を直接指定する方法である旨を受け取った画面領域特定部２２００は、ユーザインターフェース部に対し、スクリーン座標を取得するよう依頼する。
依頼を受けたユーザインターフェース部２５００は、入力装置１３００にスクリーン座標を取得するよう依頼する。
【００６０】
図１２は、ユーザがスクリーン座標を入力する例である。
ユーザは、指定したいと思っている領域２５３０の左上２５１０と、右下２５２０を指定する。図では、便宜上、右上と左下の位置入力のためのカーソルを２つ描いている。
ユーザの入力を検知した入力装置１３００は、そのスクリーン座標をユーザインターフェース部に渡す。
【００６１】
ユーザインターフェース部２５００は、左上２５１０と右下２５２０のスクリーン座標を入力装置１３００から受け取り（ステップS３６）、特定領域位置情報作成部２２５０に渡す。
次に、３つめの正面画面１１００を幾つかの画面に分割し、そのうちの１つの分割画面をユーザが指定して特定する方法を説明する。
【００６２】
ユーザインターフェース部２５００から、分割画面で領域を指定する方法である旨を受け取った画面領域特定部２２００は、ユーザインターフェース部に対し、指定された分割画面のスクリーン座標を取得するよう依頼する。
依頼を受けたユーザインターフェース部２５００は、正面画面１１００上に縦に４分割、横に４分割する線を表示し１６分割表示する（ステップS３７）。その後、ユーザは、いづれかの分割画面を指定する。入力装置１３００は、ユーザの指定を検知し、その指定情報をユーザインターフェース部２５００に渡す。
【００６３】
入力装置１３００から、ユーザが選択した分割画面を取得したユーザインターフェース部２５００は、その選択された分割画面のスクリーン座標を求め（ステップS３８）、特定領域位置情報作成部２２５０に渡す。
このように、特定領域位置情報作成部２２５０は、１つめの方法では、画素分布判定部２２３０から、２つめと３つめの方法では、ユーザインターフェース部２５００から、特定領域を定めるための情報を渡される。
【００６４】
画素分布判定部２２３０から、特定した領域の位置情報を渡された特定領域位置情報作成部２２５０は、正面画面１１００のスクリーン座標に変換し、正面画面１１００上に特定した領域を囲む矩形を表示する（ステップS３３）。
また、ユーザインターフェース部２５００から、ユーザが指定した領域のスクリーン座標を受け取った特定領域位置情報作成部２２５０は、正面画面１１００上に特定した領域を囲む矩形を表示する（ステップS３３）。
【００６５】
正面画面１１００に矩形が表示された後、ユーザが確定キーを押下する等して、領域を確定する（ステップS３３）。確定した場合は、特定した領域の位置情報を特定領域位置情報記憶部２３００に渡す（ステップS３５）。ユーザが、再度領域を指定したい場合は（ステップS３４）、再度領域特定方法を選択する（ステップS３０）。
図１０は、背面画面表示処理を示すフローチャートである。
【００６６】
この処理は、蓋が閉じられ、背面画面１２００のみが表示されている場合に行われる処理である。
蓋が閉じられたことを検知した携帯端末１０００の制御部（図示していない）は、画面データ抽出部２４００に制御を渡す。
制御を渡された画面データ抽出部２４００は、特定領域位置情報記憶部２３００から、特定領域位置情報３２００を読み出し、その情報をもとに、画面データ生成部２１００から渡される１フレームの画像データから、背面画面１２００に表示する画像データを抽出する。
【００６７】
画像データを抽出した画面データ抽出部２４００は、その抽出データを背面画面表示部２７００に渡す。
画像データ受け取った背面画面表示部２７００は、背面画面１２００の画素数に合わせた画像データを作成し、背面画面１２００に渡す。画像データを受け取った背面画面１２００は画像データを表示する（ステップS４０）。
【００６８】
画面データ生成部２１００から渡される１フレームの画像データごとに、背面画面１２００に表示する画像データを抽出し、背面画面表示部２７００に渡し、背面画面１２００で表示する。
ここで、ユーザが、注意喚起指示をしている場合は（ステップS４１）、画面データ抽出部２４００が抽出したデータから、注意喚起データの検出処理を行う（ステップS４２）。
【００６９】
詳細には、注意喚起データ検出部２９００は、注意喚起データ記憶部から注意喚起データ３３００を読み出す。注意喚起データ検出部は、画面データ抽出部２４００から渡された特定領域の画像データ内に、注意喚起データ３３００の文字３３１０があるか否かを判定する。色名３３２０が指定してある場合は、指定されている色の文字を検出する。指定してない場合は、色判定用データ３０００の色の文字を検出する。文字の検出方法は、画素分布判定部２２３０が、画面データ生成部２１００からのデータから文字判定用データを探す場合と同じである（図７、ステップS３２参照）。また、ここで指定できる文字は、注意喚起データのうち、ユーザがメニュー等により指定した１文字とする。
【００７０】
また、ユーザの指示が、背面画面１２００が変化した場合に注意を喚起するという場合には、注意喚起データ検出部は、画面データ抽出部２４００から渡された特定領域の画像データを作業領域に記憶しておいて、次に渡された特定領域の画像データと比較して変化を検出する（ステップＳ４２）。
注意喚起データ検出部２９００が、注意喚起データ３３００を検出した場合は（ステップS４３）、音源装置１４００に音の発生を依頼し、ユーザの注意を喚起する処理を行う（ステップS４４）。注意喚起データを検出しない場合は、何も行わない。
【００７１】
＜補足＞
以上、本発明に係る携帯端末について実施形態に基づいて説明したが、この携帯端末を部分的に変形することもでき、本発明は上述の実施形態に限られないことは勿論である。即ち、
（１）実施形態では、背面画面に文字が表示されている場合、テレビ放送画面を切り取ったものを表示しているが、文字部分だけを取り出して、表示してもよい。
【００７２】
この場合、文字の色が目立つ色を背景色とすることにより、背面画面が見やすくなるという利点がある。
また、文字を拡大して表示する際、トリミング処理を施して表示してもよい。
さらに、文字を、その文字コードから求めたフォントデータで背面画面に表示してもよい。
（２）実施形態では、背面画面１２００に表示する正面画面の領域は１つであるが、複数指定してもよい。
【００７３】
この場合、一定の間隔で、交互に表示する等する。
（３）実施形態では、フレーム毎に背面画面のデータを抽出しているが、数フレームごとでもよい。
背面画面の変化が少ない場合には、フレーム毎に処理する場合と効果はほとんど変らないにもかかわらず、処理負荷が少なくて済む。
（４）実施形態では、背面画面に表示する正面画面の位置は、固定となっているが、フレーム毎に決定してもよい。
【００７４】
この場合、フレーム毎にユーザが知りたい情報が表示されている領域を決定するので、ユーザの知りたい情報が背面画面から外れる事がない。
（５）実施形態では、１フレームで色判定用データの分布を判定しているが、複数フレームをもとに色の分布を判定してもよい。
この場合、一定の時間表示されているデータを基にして、領域を決定するので、ユーザが見続けたい情報が表示される領域を、より正確に特定することができる。
（６）実施形態では、デジタルテレビ放送を携帯端末で受信した場合を記載しているが、デジタル放送だけでなく、衛星放送やブロードバンド放送であってもよい。また、データ放送等の情報の送付者は放送局、ブロードバンド放送の送付者、ネットワークに接続されるサーバ等であってもよい。テレビ放送のコンテンツはリアルタイムに放送されるものであってもよいし、一度サーバ等に蓄積された情報の送出であってもよい。また、受信側としては、上記携帯端末に限定されるものではなく、携帯電話機、通信機能を有する家庭用電化製品またはパーソナルコンピュータ等であってもよい。
【００７５】
さらに、実施形態では、デジタルテレビ放送を携帯端末で受信している場合を記載しているが、本携帯端末や他の機器で録画した動画コンテンツを、メモリーカード等の記録媒体を経由して、携帯端末等に表示させる場合であってもよい。
尚、ここでいう動画コンテンツとは、スポーツ放送等のいわゆる動画のみならず、天気図や株価情報等の定期的に画面が更新されるものも含むものとする。
（７）実施形態では、２つの画面を有する携帯端末としているが、１つの画面を有するものでもよい。
【００７６】
この場合、１フレームの画像とその部分である特定領域の画像が、同じ画面にユーザの選択によって表示されることになる。
１フレームの１部分を拡大して表示することができるため、小さい画面であってもテレビ放送の内容を把握することができるようになる。携帯端末の画面が小さい場合に、特に有効である。
（８）実施形態で示した携帯端末の各機能を実現させる為の各制御処理（図８等参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した携帯端末の各機能が実現される。
（９）実施形態では、折りたたみタイプの携帯型情報端末としているが、折りたたみタイプ以外のものでもよい。すなわち、１つの画面の表示を消すタイミングがあるものであればよい。
【００７７】
例えば、スライドタイプやリボルバータイプ等の１画面が隠れるものは、隠れたタイミングで画面の表示を消す。また、１画面が隠れなくても、ユーザの操作により１つの画面を消すものでもよい。
（１０）実施形態では、文字判定用データや注意喚起データの文字を１文字指定することとしているが、複数文字を指定してもよい。
【産業上の利用可能性】
【００７８】
動画コンテンツ再生する携帯型情報機器の技術として有用である。
【図面の簡単な説明】
【００７９】
【図１】携帯端末の概略図である。  図１（ａ）は、携帯端末を開けた図であり、図１（ｂ）は、携帯端末を閉じた図である。
【図２】携帯端末の２つの画面の遷移を示した図である。
【図３】携帯端末１０００の構成を示す機能ブロック図である。
【図４】画面領域特定部２２００の構成を示す機能ブロック図である。
【図５】判定用データの内容例を示す。
【００８０】
図５（ａ）は、判定用の色のデータであり、図５（ｂ）は、判定用の文字のデータである。
【図６】特定領域位置データの内容例を示す。
【図７】注意喚起データの内容例を示す。
【図８】携帯端末１０００がテレビ放送を表示する場合の処理を示すフローチャートである。
【図９】背面画像特定処理を示すフローチャートである。
【図１０】背面画面表示処理を示すフローチャートである。
【図１１】特定色が一定の分布密度を有する領域の例である。
【図１２】ユーザがスクリーン座標を入力する例である。
【符号の説明】
【００８１】
１０００    携帯端末
１１００    正面画面
１２００    背面画面
１３００    入力装置
１４００    音源装置
２０００    コンテンツ受信部
２１００    画面データ生成部
２１００    画面生成部
２２００    画面領域特定部
２２１０    判定用データ記憶部
２２３０    画素分布判定部
２２５０    特定領域位置情報作成部
２３００    特定領域位置情報記憶部
２４００    画面データ抽出部
２５００    ユーザインターフェース部
２６００    正面画面表示部
２７００    背面画面表示部
２８００    注意喚起データ記憶部
２９００    注意喚起データ検出部
３０００    色判定用データ
３１００    文字判定用データ
３２００    特定領域位置情報
３３００    注意喚起データ
４０００    特定領域
【図１】
2005080020.tif 000003
【図２】
2005080020.tif 000004
【図３】
2005080020.tif 000005
【図４】
2005080020.tif 000006
【図５】
2005080020.tif 000007
【図６】
2005080020.tif 000008
【図７】
2005080020.tif 000009
【図８】
2005080020.tif 000010
【図９】
2005080020.tif 000011
【図１０】
2005080020.tif 000012
【図１１】
2005080020.tif 000013
【図１２】
2005080020.tif 000014